(57)【要約】【課題】  薬剤の環境汚染の問題を解消し、殺虫効果、除菌効果、又は、消臭効果を発揮する環境改善物品を提供すること。【解決手段】  本考案の環境改善物品は、薬剤を内包するマイクロカプセル１を有するものであり、前記薬剤は、ニーム油、銀杏抽出物、メントールオイル、レモングラス油、レモン油、ピレトリン抽出物、及び、マトリン抽出物を少なくとも有する。【選択図】図１
0003191510.tif 000002
【実用新案登録請求の範囲】
【請求項１】
薬剤を内包するマイクロカプセルを有する環境改善物品において、
前記薬剤は、ニーム油、銀杏抽出物、メントールオイル、レモングラス油、レモン油、ピレトリン抽出物、及び、マトリン抽出物を少なくとも有する環境改善物品。
【請求項２】
前記マイクロカプセルが液体に分散している乳剤である請求項１記載の環境改善物品。
【請求項３】
前記乳剤は、主成分としてニーム油５重量％、銀杏抽出物４重量％、メントールオイル重量１％、レモングラス油３重量％、レモン油２重量％、ピレトリン抽出物５重量％、マトリン抽出物５重量％、食品添加用界面活性剤１０重量％、及び、精製水６５重量％を含有する請求項２記載の環境改善物品。
【請求項４】
前記乳剤は容器に収容され、噴霧することにより前記マイクロカプセルが放散されるものである請求項２又は３記載の環境改善物品。
【請求項５】
前記乳剤はプレートに含浸され、加熱することにより前記マイクロカプセルに含まれる薬剤が放散される請求項２又は３記載の環境改善物品。
【考案の詳細な説明】
【技術分野】
【０００１】
本考案は、害虫駆除等の環境改善物品に関する。
【背景技術】
【０００２】
害虫駆除等のこの種の環境改善物品に関して、下記の特許文献１〜５に記載のものがある。
【先行技術文献】
【特許文献】
【０００３】
【特許文献１】実公平３−４７０４２号公報
【特許文献２】実公平５−３８００１号公報
【特許文献３】実用新案登録第３１８８８３７号公報
【特許文献４】特開平１１−４９６１８公報
【特許文献５】特表平１１−５０６４６４号公報
【考案の概要】
【考案が解決しようとする課題】
【０００４】
前記特許文献１〜５に記載の従来技術において、害虫駆除の薬効成分をマイクロカプセル化してその効能を長期間保持したりしているが、薬剤の環境汚染という問題を有していた。
【０００５】
そこで、本考案は、薬剤の環境汚染の問題を解消し、殺虫効果、除菌効果、又は、消臭効果を発揮する環境改善物品を提供することを目的とする。
【課題を解決するための手段】
【０００６】
前記目的を達成するため、本考案は、次の手段を講じた。すなわち、本考案は、薬剤を内包するマイクロカプセルを有する環境改善物品において、前記薬剤は、ニーム油、銀杏抽出物、メントールオイル、レモングラス油、レモン油、ピレトリン抽出物、及び、マトリン抽出物を少なくとも有するものである。
【０００７】
前記環境改善物品は、前記マイクロカプセルが液体に分散している乳剤とすることができる。
【０００８】
前記乳剤は、主成分としてニーム油５重量％、銀杏抽出物４重量％、メントールオイル重量１％、レモングラス油３重量％、レモン油２重量％、ピレトリン抽出物５重量％、マトリン抽出物５重量％、食品添加用界面活性剤１０重量％、及び、精製水６５重量％を含有するのが好ましい。
【０００９】
前記乳剤は容器に収容され、噴霧することにより前記マイクロカプセルが放散されるものとすることができる。
【００１０】
前記乳剤はプレートに含浸され、加熱することにより前記マイクロカプセルに含まれる薬剤が放散されるものとすることができる。
【考案の効果】
【００１１】
本考案によれば、殺虫効果、除菌効果、又は、消臭効果を発揮する。マイクロカプセルに薬剤を含有させることで、薬剤の効力が長期間持続する。また、日光、アルカリ、微生物などから薬剤成分が守られる。さらに、薬剤成分は容易に放出されないため、室内空気が汚染されない。従って、薬剤による毒性が圧倒的に軽減される。
【図面の簡単な説明】
【００１２】
【図１】マイクロカプセルの顕微鏡写真である。
【図２】乳剤を噴霧している使用状態図である。
【図３】乳剤を空間噴霧している使用状態図である。
【図４】乳剤を含浸させた防虫・防菌消臭プレートの断面図である。
【考案を実施するための形態】
【００１３】
以下、本考案の実施の形態を図面を用いて説明する。
図１において、無数のマイクロカプセル１が水中に分散している。このマイクロカプセル１内に、ニーム油、銀杏抽出物、メントールオイル、レモングラス油、レモン油、ピレトリン抽出物、及び、マトリン抽出物を少なくとも内包する。このマイクロカプセル１は、環境改善物品である。
【００１４】
前記環境改善物品を液体に分散させて乳剤が構成される。
ニーム油は、インド、東南アジアで栽培されている薬木（インドセダン）より得られたオイルである。ニーム油の主成分は、アザジラクチンであり、害虫忌避や害虫の摂食阻害、害虫卵の孵化を制御する。ニーム油に含まれるニンビン、ニンビジンには抗ウイルス作用があり、ゲズニン等には抗菌活性がある。しかし、人や農作物には害がない。
【００１５】
銀杏抽出物は、銀杏の葉のエキスである。銀杏にはフラボノイドという殺虫・殺菌成分があり、ジンコライドＡＢＣとジンノルの成分が、末梢血管障害、痴呆症等を治癒し、予防効果がある。銀杏抽出物は、抗菌作用、抗酸化作用、抗癌作用、殺虫作用、血流改善作用、保湿等の作用がある。
【００１６】
メントールオイルは、天然ハッカ等から抽出される。メントールは、清涼感のある香気を有する。生物に対しての忌避効果がある。
【００１７】
レモングラス油は、イネ科の多年草のレモングラスから抽出されるオイルであり、レモンの香りを有する。
【００１８】
レモン油は、レモンの果皮から搾った精油であり、アロマテラピー効果や抗菌、消臭効果がある。
【００１９】
ピレトリン抽出物は、除虫菊より抽出されるものであり、ピレトリンとシネリンという殺虫成分を含んでいる。冷血動物の皮膚に侵入し、すぐに神経麻痺をさせて段々死に至らしめる。しかし、温血動物には非毒性である。人と家畜に害がなく、さらに農薬残留性が極めて少ないので、広い範囲の害虫に殺虫力が認められる。
【００２０】
マトリン抽出物は、マメ科のクララの根などから抽出されるエキスであり、農作物の害虫駆除や、牛馬など家畜の皮膚寄生虫駆除に効果がある。殺虫、抗菌の効果も認められる。
【００２１】
前記乳剤の主成分の成分比率は、ニーム油５重量％、銀杏抽出物４重量％、メントールオイル１重量％、レモングラス油３重量％、レモン油２重量％、ピレトリン抽出物５重量％、マトリン抽出物５重量％、食品添加用界面活性剤１０重量％、及び、精製水６５重量％である。この比率は平均値であり、若干のプラスマイナスは許容される。
【００２２】
マイクロカプセル１の膜の材質は、ポリウレタンであるが、これに限定されない。マイクロカプセルの製造は、公知の技術を用いて行える。例えば、化学的手法の界面重合法、ｉｎ  ｓｉｔｕ重合法、オリフィス法、物理化学的手法のコアセルベーション法、液中乾燥法、機械的・物理的手法の気中懸濁被覆法、噴霧乾燥法、高速気流中衝撃法などである。
【００２３】
マイクロカプセル１の粒子径は数μｍ〜１００μｍであり、好ましくは、１０μｍ〜６０μｍである。
【００２４】
マイクロカプセル１の膜の構造は、微多孔質樹脂被膜が好ましい。無孔質樹脂被膜であってもよい。微多孔質のカプセル化により、殺菌効果の徐放性が実現される。適用素材に応じては１〜５年の有効性を持続できる。
【００２５】
図２に示すものは、前記乳剤を容器２に収納した防虫・防菌消臭スプレーである。前記乳剤を収納した容器２に、噴霧装置３が着脱自在に装着される。噴霧装置に操作レバー４が設けられ、このレバー４を操作することで、容器２内の乳剤がノズルから噴霧される。この噴霧中にマイクロカプセル１が存在する。噴霧は、飲食店の厨房などの壁面や床面に対して行う。噴霧中のマイクロカプセル１が、壁面等に付着し、ゴキブリ等がこのマイクロカプセル１に接触することにより、ゴキブリの体表面に付着する。マイクロカプセル１は、ゴキブリの移動等により潰され内部の薬剤がゴキブリの体表面に付着して殺虫効果を発揮する。また、巣などにマイクロカプセル１が取り残され、殺菌効果の徐放性が実現され、卵、幼虫を死滅させる。
【００２６】
図３に示すものは、空間噴霧器５を用いて、容器に収納された乳剤を、住宅等の部屋全体に空間噴霧する。空間噴霧器５は、圧縮空気供給装置６と噴霧装置３とを有し、両者は、空気供給ホース８で連結されている。噴霧装置３は、容器２に着脱自在に装着され、噴霧装置３のレバー４を操作することにより、容器２内の乳剤はノズルより空間に噴霧される。
【００２７】
一般には子供等がいる住宅に薬品を空間噴霧することは危険であるが、本考案にかかる乳剤は、オール天然物であり危険はない。空間噴霧することにより、この噴霧を浴びた害虫の体表面にマイクロカプセル１が付着し、薬効が発揮される。また、この乳剤は、殺虫効果のみならず、除菌効果、消臭効果を発揮する
図４に示すものは、前記乳剤をプレート８に含浸させた防虫・防菌消臭プレートである。このプレート８に乳剤のマイクロカプセル１が含浸される。
【００２８】
このプレート８は、特許第４３０８２２５号公報に記載の害虫駆除装置の殺虫プレートとして用いることができる。プレート８が加熱されることにより、プレート８に含有するマイクロカプセル１内の薬剤が空中に放散され、薬効を発揮する。
【００２９】
今回開示された実施の形態はすべての点で例示であって制限的なものではない。本考案の範囲は、上記した説明ではなく、実用新案登録請求の範囲によって示され、実用新案登録請求の範囲と均等の意味及び範囲内でのすべての変更が含まれる。本考案の環境改善物品は、噴霧法、ミスト法、煙霧法、ガス法、又は、ドライ駆除法のいずれでも使用可能である。
【産業上の利用可能性】
【００３０】
本考案は、害虫駆除産業等の環境改善産業に利用できる。
【符号の説明】
【００３１】
１  マイクロカプセル
２  容器
３  噴霧装置
８  プレート
【図２】
0003191510.tif 000003
【図３】
0003191510.tif 000004
【図４】
0003191510.tif 000005
【図１】
0003191510.tif 000006